(57)【要約】【課題】洗剤投入装置において、水道水からの給水が止まった際に、注水口の上部水路に残水を生じさせない。【解決手段】洗剤投入部を有する洗剤ケースと、前記洗剤ケースを引き出し可能に収納する注水装置とを備え、前記注水装置は、前記洗剤投入部に注水するための注水口と、前記注水口に水を導く水路とを有し、前記注水口は細長い形状で、部分的に幅の広い開口部を有するとともに、長手方向の長さが、前記開口部の幅の2倍以上となるように構成した。【選択図】図１
2009201595.tif 000002
【特許請求の範囲】
【請求項１】
洗剤投入部を有する洗剤ケースと、前記洗剤ケースを引き出し可能に収納する注水装置とを備え、前記注水装置は、前記洗剤投入部に注水するための注水口と、前記注水口に水を導く水路とを有し、前記注水口は細長い形状で、部分的に幅の広い開口部を有するとともに、長手方向の長さが、前記開口部の幅の2倍以上であることを特徴とする洗濯機の洗剤投入装置。
【請求項２】
前記注水口は端部の少なくとも一方に幅の広い開口を有することを特徴とする請求項１に記載の洗濯機の洗剤投入装置。
【請求項３】
前記注水口は両端部に幅の広い開口部を有し、前記2つの開口部の幅が異なることを特徴とする請求項２に記載の洗濯機の洗剤投入装置
【請求項４】
前記注水装置の注水口の長手方向の長さが20mm以上であることを特徴とする請求項１から請求項３に記載の洗濯機の洗剤投入装置。
【請求項５】
前記注水装置の注水口の最大幅が8mm以上であることを特徴とする請求項１から請求項４に記載の洗濯機の洗剤投入装置。
【請求項６】
前記注水装置の水路の空間の高さが10mm以下であることを特徴とする請求項１から請求項５に記載の洗濯機の洗剤投入装置。
【請求項７】
前記注水装置の注水口を複数有することを特徴とする請求項１から請求項６に記載の洗濯機の洗剤投入装置。
【請求項８】
前記注水装置の注水口が傾斜面に設けられていることを特徴とする請求項１から請求項７に記載の洗濯機の洗剤投入装置。
【請求項９】
請求項１〜請求項８に記載の洗剤投入装置を搭載した洗濯機。
【発明の詳細な説明】
【技術分野】
【０００１】
本発明は、洗濯機の洗剤投入装置に関するものである。
【背景技術】
【０００２】
洗濯機において、洗濯開始時に洗剤を洗濯槽に溶かしながら投入する洗剤投入装置が利用されている。洗剤投入装置は、引き出し式の洗剤ケースが注水装置に収納可能に構成されており、収納された洗剤ケースに上部から注水を行い、投入された洗剤を溶かしながら流し出す構成となっている（例えば、特許文献１）。
【０００３】
【特許文献１】特許第３７９１１３８号
【発明の開示】
【発明が解決しようとする課題】
【０００４】
しかしながら、上記特許文献１等においては、注水装置内に設けられた複数の円形の穴からなる注水口が水平に配置されているため、水道水からの給水が止まった際に、各注水口において、水が重力により注水口から落下する力と、表面張力により上に引き戻す力とが平衡し易くなる。各注水口においてこの平衡状態が生じると注水口の上部水路に空気が入らず、また、水が落下せず、注水口の上部水路に残水を生じる。そして、後行程の脱水時の洗濯槽回転などによる振動で、この注水口の上部水路の残水が落下すると、水が洗濯槽内に落ちて衣類を濡らしてしまうという課題があった。
【０００５】
本発明は上記課題に対応するものであり、水道水からの給水が止まった際に、水路に残水しにくい注水装置、および前記洗剤投入装置を備えた洗濯機を提供するものである。
【課題を解決するための手段】
【０００６】
本発明は前記課題を解決するものであり、洗剤投入部を有する洗剤ケースと、前記洗剤ケースを引き出し可能に収納する注水装置とを備え、前記注水装置は、前記洗剤投入部に注水するための注水口と、前記注水口に水を導く水路とを有し、前記注水口は細長い形状で、部分的に幅の広い開口部を有するとともに、長手方向の長さが、前記開口部の幅の2倍以上となるように構成したものである。
【発明の効果】
【０００７】
本発明の洗濯機の洗剤投入装置は、洗剤投入部を有する洗剤ケースと、前記洗剤ケースを引き出し可能に収納する注水装置とを備え、前記注水装置は、前記洗剤投入部に注水するための注水口と、前記注水口に水を導く水路とを有し、前記注水口は細長い形状で、部分的に幅の広い開口部を有するとともに、長手方向の長さが、前記開口部の幅の2倍以上となるように構成したため、水道水からの給水が止まった際に、水路の水は幅の広い開口部より滴下しやすくなる。これにより、水路の残水が低減されるため、脱水時の洗濯槽回転などによる振動で、注水口の上部水路の残水が落下し、水が洗濯槽内に落ちて衣類を濡らしてしまうという課題が解決できる。
【発明を実施するための最良の形態】
【０００８】
実施の形態１．
本実施の形態１について、図を参照しながら説明する。 
図１は本発明の本実施の形態１の洗濯機の洗剤投入装置の一部断面を示した斜視図、図２は同側面断面図、図３は同正面断面図、図４は同洗剤投入装置の注水装置の注水口の開口形状を示す平面図、図５は前記注水口の側面断面からみた水の状態を示す説明図である。
【０００９】
洗剤投入装置１は、洗剤ケース２と注水装置３とから構成される。洗剤ケース２は底面が後方に向けて下に傾斜した洗剤投入部４と、洗剤投入部４の後方下部に洗剤流出口５を備え、注水装置３に引き出し可能な状態で収納される。注水装置３は給水管６から給水される水道水を水路７を介して複数の注水口８より洗剤ケース２の洗剤投入部４に注水する。洗剤投入部４に投入された洗剤９は、注水口８からの注水により、水とともに洗剤流出口５より流し出され、出水口１０より洗濯槽に投入される。
【００１０】
注水口８は、図４に示すように、注水装置３の奥行き方向に対して垂直な方向に細長い形状であり、右端に直径約８ｍｍの略円状の開口を有し、長手方向に２２ｍｍで左側に向かうにしたがって開口幅が狭くなる非対称な開口形状となっている。この開口形状としたことにより、給水が止まった時点で水は図５に示すように給水口８の開口幅の大きい右側から多く流れ出るとともに、左側から空気が水路７に向かって流入する。したがって、水が水路７に残ることなく排出される。ただし、給水口８からの水の流出の仕方は上記の限りでなく、水路と給水口８との位置関係により水流が左方向に流れる場合には、給水口８の開口幅の広い右側から空気が水路７に向かって流入する。
【００１１】
水路７は洗剤投入装置１の高さを極力低く構成するために、高さを約８ｍｍと狭く構成している。したがって、水の表面張力の作用により水路７に水が残り易いが、注水口８のような開口形状とすることにより、水の排出とともに空気の流入が促進されるため、水路７に満たされた水は、残ることなく確実に排出される。
【００１２】
したがって、給水の後行程の脱水時の洗濯槽回転などによる振動で、注水装置３から水が洗濯槽内に落ちることはなく、衣類を濡らしてしまうという課題を解決できる。
【００１３】
なお、本実施の形態１では注水口８を複数有する構成としているが、洗剤ケース２の大きさが小さい場合などは、注水口８の略相似形状の注水口を１つのみ設ける構成としてもよい。
【００１４】
実施の形態２
実施の形態２は実施の形態１の注水口の形状が異なる構成であり、図６に注水口形状の平面図を示す。
注水口１１は右端に直径８ｍｍの円状の開口部１２と、開口部１２から左側に向けて伸びる幅３ｍｍ、長さ２０ｍｍの開口部１３とを有する。このように、開口の一端に大きな開口を備え、開口を連続させて細長い形状とすることにより、給水が止まったときの水路７から注水口１４への水の流出と注水口１４から水路７への空気の流入が促進される。
【００１５】
実施の形態３
実施の形態３は実施の形態１の注水口の形状が異なる構成であり、図７に注水口形状の平面図を示す。
注水口１４は長手方向の全長が２８ｍｍで右端に前後方向幅８ｍｍ、左右方向幅約１２ｍｍの略楕円状の開口部１５と、開口部１５から左側に向けて伸びる幅３ｍｍの開口部１６とを有する。開口部１５から開口部１６に連結する部分には開口を連続的に接続するテーパ形状部１７を有する。このように、開口の一端側に大きな開口を備え、開口を連続させて細長い形状とし、さらに開口の幅の変化する部分を連続的に接続する形状とすることにより、給水が止まったときの水路７から注水口１４への水の流出と注水口１４から水路７への空気の流入が促進される。
【００１６】
実施の形態４
実施の形態４は実施の形態１の注水口の形状が異なる構成であり、図８に注水口形状の平面図を示す。
注水口１８は右端に直径８ｍｍの円状の開口部１９と、左端に１辺６ｍｍの正方形の開口部２０と、開口部１９と開口部２０を連結する幅３ｍｍの開口部２１とを有する。開口部１９から開口部２１に連結する部分には開口を連続的に接続するテーパ形状部２２を有する。このように、開口の両端に大きな開口を備え、開口を連続させて細長い形状とし、さらに開口の幅の変化する部分を連続的に接続する形状とすることにより、給水が止まったときの水路７から注水口１８への水の流出と注水口１８から水路７への空気の流入が促進される。ここで、開口部１９と開口部２０の開口面積に差をつけているのは、注水口１８の両端の一方からの水の流出および空気の流入を起き易くするためであり、同面積にすると水の流出および空気の流入が両端で平衡してしまうことを防止するためである。
【００１７】
実施の形態５
実施の形態５は実施の形態１における注水口が形成される水路７の底面が傾斜した注水装置であり、図９に正面断面図を示す。
水路７の底面２３は洗剤ケース２の奥行き方向に対して垂直に右下に傾斜し、一部水平面を有する。この底面２３の傾斜面および水平面に注水口８を複数備えられている。注水口８は長手方向に傾斜しているため、給水が止まったときの水路７から注水口８への水の流出と注水口８から水路７への空気の流入は底面が水平の場合よりも促進される。
【図面の簡単な説明】
【００１８】
【図１】実施の形態１の洗濯機の洗剤投入装置の一部断面を示した斜視図。
【図２】実施の形態１の洗濯機の洗剤投入装置の側面断面図。
【図３】実施の形態１の洗濯機の洗剤投入装置の正面断面図。
【図４】実施の形態１の洗濯機の洗剤投入装置の注水装置の注水口の開口形状を示す平面図。
【図５】実施の形態１の洗濯機の洗剤投入装置の注水装置の注水口の側面断面からみた水の状態を示す説明図。
【図６】実施の形態２の洗濯機の洗剤投入装置の注水装置の注水口の開口形状を示す平面図。
【図７】実施の形態３の洗濯機の洗剤投入装置の注水装置の注水口の開口形状を示す平面図
【図８】実施の形態４の洗濯機の洗剤投入装置の注水装置の注水口の開口形状を示す平面図。
【図９】実施の形態５の洗濯機の洗剤投入装置の正面断面図。
【符号の説明】
【００１９】
１  洗剤投入装置、２  洗剤ケース、３  注水装置、４  洗剤投入部、５        洗剤流出口、６  給水管、７  水路、８  注水口、９  洗剤、１０  水口、１１  注水口、１              開口部、１３  開口部、１４  注水口、１５  開口部、１６  開口部、１７  テーパ部、１８  注水口、１９  開口部、２０  開口部、２１  開口部、２２  テーパ部、２３  底面
【図１】
2009201595.tif 000003
【図２】
2009201595.tif 000004
【図３】
2009201595.tif 000005
【図４】
2009201595.tif 000006
【図５】
2009201595.tif 000007
【図６】
2009201595.tif 000008
【図７】
2009201595.tif 000009
【図８】
2009201595.tif 000010
【図９】
2009201595.tif 000011